(57)【要約】生理食塩水供給源（12）と、造影剤供給源（13）と、廃棄物集積場（14）と、カテーテル（15）との間の流れを操作することができる、単一のバルブを備えた流体制御バルブ（10）が開示される。該制御バルブは、生理食塩水供給源とカテーテルとを隔離している間に、バルブが前記注入器と前記造影剤供給源との間の連通を提供する造影剤位置を含む３つの主要な位置を有している。さらに、上記バルブは、造影剤供給源とカテーテルとを隔離している間に、バルブが注入器と生理食塩水供給源及び／又は廃棄物集積場との間の連通を提供する生理食塩水／廃棄物位置に移動されることができる。さらに、上記バルブは、バルブが注入器とカテーテルとの間の連通を提供する注入位置に移動されることができる。単一のバルブが３つの機能をすべて提供する。さらに、上記バルブは、生理食塩水装填、廃棄物の廃棄、及び造影剤の装填の機能の間に、圧力変換器（32）とカテーテル（15）との間の連通を提供することが可能である。さらに、上記バルブは、注入処理の間における圧力変換器の保護又は隔離を提供する。【選択図】図１
2005508224.tif 000002
【特許請求の範囲】
【請求項１】
カテーテルと、生理食塩水供給源と、廃棄物集積場と、造影剤供給源と、注入器との間の流体の流れを制御する流体制御バルブであって、
筒状孔及び外表面を具備し、前記筒状孔と前記外表面との間の連通を提供する複数の通路をさらに具備し、該複数の通路は、前記カテーテルに接続された少なくとも１つの出力通路と、前記造影剤供給源に接続された造影剤入力通路と、前記生理食塩水供給源及び前記廃棄物集積場に接続された少なくとも１つの生理食塩水／廃棄物・入力／出力通路と、前記注入器に接続された少なくとも１つの注入器通路とを具備するバルブボディと、
前記筒状孔に回転可能に受容され、中心軸を有し、さらに、前記バルブステムを通じて延びる少なくとも１つの接続通路を具備し、該接続通路は、注入器通路を、前記バルブステムの回転位置に依存して、前記出力通路と、前記造影剤入力通路と、前記生理食塩水／廃棄物・入力／出力通路とのうちの少なくとも１つに選択的に接続する筒状のバルブステムとを備え、
該バルブステムは、前記筒状孔内で少なくとも３つの回転位置に回転可能であり、該３つの回転位置は、前記バルブステムの接続通路が前記注入器通路と前記造影剤入力通路との間の連通を提供する造影剤位置と、前記接続通路が前記注入器通路と前記生理食塩水／廃棄物・入力／出力通路との間の連通を提供する生理食塩水／廃棄物位置と、前記接続通路が前記注入器通路と前記出力通路との間の連通を提供する注入位置とを含んでいる流体制御バルブ。
【請求項２】
前記バルブボディの少なくとも１つの出力通路は、前記カテーテルに接続され、造影剤出力通路と生理食塩水出力通路とを含む２つの出力通路を具備し、
前記バルブボディは、廃棄物入力通路をさらに具備し、
前記バルブボディの少なくとも１つの生理食塩水／廃棄物・入力／出力通路は、個別の生理食塩水入力通路と個別の廃棄物出力通路とを具備し、
前記少なくとも１つの注入器通路は、造影剤注入器通路と、生理食塩水注入器通路と、廃棄物注入器通路とを具備し、
前記バルブステムは、前記接続通路から軸方向に前記バルブステムに沿って前記バルブステムを通じて結合通路をさらに具備し、
前記造影剤位置においては、前記接続通路は、前記造影剤注入器通路と前記造影剤出力通路との間の連通を提供し、前記結合通路は、前記造影剤入力通路と前記接続通路との間の連通を提供し、
前記注入位置においては、前記接続通路は、前記生理食塩水注入器通路と前記生理食塩水出力通路との間の連通を提供し、前記結合通路は、前記接続通路と前記生理食塩水入力通路との間の連通を提供し、
前記生理食塩水／廃棄物位置においては、前記接続通路は、前記廃棄物入力通路と前記廃棄物注入器通路との間の連通を提供し、前記結合通路は、前記接続通路と前記廃棄物出力通路との間の連通を提供する請求項１記載の制御バルブ。
【請求項３】
前記廃棄物入力通路は、該廃棄物入力通路を前記カテーテルに接続する廃棄物入力ラインに接続され、該廃棄物入力ラインは、前記カテーテルから前記廃棄物入力通路への流れを許容するが、その逆方向の流れを許容しない一方向型の逆止弁を含み、
前記生理食塩水出力通路は、該生理食塩水出力通路を前記カテーテルに接続する生理食塩水出力ラインに接続され、該生理食塩水出力ラインは、前記生理食塩水出力通路から前記カテーテルへの流れを許容するが、その逆方向の流れを許容しない一方向型の逆止弁を含み、
前記造影剤出力通路は、該造影剤出力通路を前記カテーテルに接続する造影剤出力ラインに接続され、該造影剤出力ラインは、前記造影剤出力通路から前記カテーテルへの流れを許容するが、その逆方向への流れを許容しない一方向型の逆止弁を具備する請求項２記載の制御バルブ。
【請求項４】
前記生理食塩水入力通路は、該生理食塩水入力通路を前記生理食塩水供給源に接続する生理食塩水入力ラインに接続され、該生理食塩水入力ラインは、前記生理食塩水供給源から前記生理食塩水入力通路への流れを許容するが、その逆方向への流れを許容しない一方向型の逆止弁を含み、
前記造影剤入力通路は、該造影剤入力通路を前記造影剤供給源に接続する造影剤入力ラインに接続され、該造影剤入力ラインは、前記造影剤供給源から前記造影剤入力通路への流れを許容するが、その逆方向への流れを許容しない一方向型の逆止弁を含み、
前記廃棄物出力通路は、該廃棄物出力通路を前記廃棄物集積場に接続する廃棄物出力ラインに接続され、該廃棄物出力ラインは、前記廃棄物出力通路から前記廃棄物集積場への流れを許容するが、その逆方向への流れを許容しない一方向型の逆止弁を具備する請求項２記載の制御バルブ。
【請求項５】
前記生理食塩水／廃棄物・入力／出力通路は、生理食塩水入力ラインと廃棄物出力ラインとの両方に接続され、
前記生理食塩水入力ラインは、前記生理食塩水／廃棄物・入力／出力通路を前記生理食塩水供給源に接続し、前記生理食塩水入力ラインは、前記生理食塩水供給源から前記生理食塩水／廃棄物・入力／出力通路への流れを許容するが、その逆方向への流れを許容しない一方向型の逆止弁を含み、
前記廃棄物出力ラインは、前記生理食塩水／廃棄物・入力／出力通路を前記廃棄物集積場に接続し、前記廃棄物出力ラインは、前記生理食塩水／廃棄物・入力／出力通路から前記廃棄物集積場への流れを許容するが、その逆方向への流れを許容しない一方向型の逆止弁を具備する請求項１記載の制御バルブ。
【請求項６】
前記バルブステムの少なくとも１つの接続通路は、生理食塩水／廃棄物接続通路と、注入器接続通路と、造影剤接続通路とを含み、
前記造影剤位置においては、前記造影剤接続通路は、前記注入器通路と前記造影剤入力通路との間の連通を提供し、
前記生理食塩水／廃棄物位置においては、前記生理食塩水／廃棄物接続通路は、前記注入器通路と前記生理食塩水／廃棄物・入力／出力通路との間の連通を提供し、
前記注入位置においては、前記注入器接続通路は、前記注入器通路と前記出力通路との間の連通を提供する請求項１記載の制御バルブ。
【請求項７】
前記バルブボディは、第１の圧力変換器通路と第２の圧力変換器通路とをさらに具備し、
前記造影剤位置においては、前記生理食塩水／廃棄物接続通路は、前記出力通路と前記第１の圧力変換器通路との間の連通を提供し、
前記生理食塩水／廃棄物位置においては、前記造影剤接続通路は、前記出力通路と前記第２の圧力変換通路と間の連通を提供する請求項６記載の制御バルブ。
【請求項８】
前記バルブステムは、前記造影剤接続通路から前記バルブステムに沿って該バルブステムを通じて延びる第１の結合通路をさらに具備し、前記造影剤接続通路は、第１の端部と第２の端部とを具備し、前記バルブステムは、前記生理食塩水／廃棄物接続通路から前記バルブステムに沿って該バルブステムを通じて延びる第２の結合通路をさらに具備し、前記生理食塩水／廃棄物接続通路は、第１の端部と第２の端部とを具備し、
前記バルブボディは、前記筒状孔と圧力変換器との間の連通を提供する圧力変換器通路をさらに具備し、
前記造影剤位置においては、前記造影剤接続通路は、前記注入器通路と前記造影剤入力通路との間の連通を提供し、前記第１の結合通路は、前記圧力変換器通路と前記出力通路との間の連通を提供し、
前記生理食塩水／廃棄物位置においては、前記生理食塩水／廃棄物接続通路は、前記注入器通路と前記生理食塩水／廃棄物・入力／出力通路との間の連通を提供し、前記第２の結合通路は、前記圧力変換器通路と前記出力通路との間の連通を提供し、
前記注入位置においては、前記注入器接続通路は、前記注入器通路と前記出力通路との間の連通を提供し、前記圧力変換器通路は、前記バルブステムによって閉鎖される請求項６記載の制御バルブ。
【請求項９】
前記生理食塩水／廃棄物・入力／出力通路と、前記出力通路と、前記注入器通路と、前記造影剤入力通路は、同一平面上にある請求項６記載の制御バルブ。
【請求項１０】
前記バルブボディの少なくとも１つの出力通路は、コンビネーション・造影剤／生理食塩水出力通路を含み、
前記バルブボディは、廃棄物入力通路をさらに具備し、
前記バルブボディの少なくとも１つの生理食塩水／廃棄物・入力／出力通路は、個別の生理食塩水入力通路と個別の廃棄物出力通路とを含み、
前記少なくとも１つの注入器通路は、コンビネーション・造影剤／生理食塩水注入器通路と廃棄物注入器通路とを含み、
前記バルブステムは、前記接続通路から前記バルブステムに沿って該バルブステムを通じて延びる結合通路をさらに具備し、
前記造影剤位置においては、前記接続通路は、前記コンビネーション・造影剤／生理食塩水注入器通路と前記コンビネーション・造影剤／生理食塩水出力通路との間の連通を提供し、前記造影剤位置においては、前記結合通路は、前記造影剤入力通路と前記接続通路との間の連通を提供し、
前記注入位置においては、前記接続通路は、前記コンビネーション・造影剤／生理食塩水注入器通路と前記コンビネーション・造影剤／生理食塩水出力通路との間の連通を提供し、
前記注入位置においては、前記結合通路は、前記接続通路と前記生理食塩水入力通路との間の連通を提供し、
前記生理食塩水／廃棄物位置においては、前記接続通路は、前記廃棄物入力通路と前記廃棄物注入器通路との間の連通を提供し、前記生理食塩水／廃棄物位置においては、前記結合通路は、前記接続通路と前記廃棄物出力通路との間の連通を提供する請求項１記載の制御バルブ。
【請求項１１】
前記生理食塩水入力通路と、前記コンビネーション・造影剤／生理食塩水出力通路と、前記コンビネーション・造影剤／生理食塩水注入器通路と、前記造影剤入力通路とは、同一平面上にある請求項１０記載の制御バルブ。
【請求項１２】
前記廃棄物入力通路は、該廃棄物入力通路を前記カテーテルに接続する廃棄物入力ラインに接続され、該廃棄物入力ラインは、前記カテーテルから前記廃棄物入力通路への流れを許容するが、その逆方向への流れを許容しない一方向型の逆止弁を含み、
前記出力通路は、前記コンビネーション・造影剤／生理食塩水出力通路を前記カテーテルに接続するコンビネーション・造影剤／生理食塩水出力ラインに接続され、該コンビネーション・造影剤／生理食塩水出力ラインは、前記コンビネーション・造影剤／生理食塩水出力通路から前記カテーテルへの流れを許容するが、その逆方向への流れを許容しない一方向型の逆止弁を含み、
前記造影剤出力通路は、該造影剤出力通路を前記カテーテルに接続する造影剤出力ラインに接続され、該造影剤出力ラインは、前記造影剤出力通路からカテーテルへの流れを許容するが、その逆方向への流れを許容しない一方向型の逆止弁を含む請求項１０記載の制御バルブ。
【請求項１３】
前記生理食塩水入力通路は、該生理食塩水入力通路を前記生理食塩水供給源に接続する生理食塩水入力ラインに接続され、該生理食塩水入力ラインは、前記生理食塩水供給源から前記生理食塩水入力通路への流れを許容するが、その逆方向への流れを許容しない一方向型の逆止弁を含み、
前記造影剤入力通路は、該造影剤入力通路を前記造影剤供給源に接続する前記造影剤入力ラインに接続され、該造影剤入力ラインは、前記造影剤供給源から前記造影剤入力通路への流れを許容するが、その逆方向への流れを許容しない一方向型の逆止弁を含み、
前記廃棄物出力通路は、該廃棄物出力通路を前記廃棄物集積場に接続する前記廃棄物出力ラインに接続され、該廃棄物出力ラインは、前記廃棄物出力通路から前記廃棄物集積場への流れを許容するが、その逆方向への流れを許容しない一方向型の逆止弁を含む請求項１０記載の制御バルブ。
【請求項１４】
前記バルブボディの少なくとも１つの出力通路は、生理食塩水及び造影剤が前記カテーテルに向かって通じ、廃棄物が前記カテーテルから通じるコンビネーション・入力／出力通路を含み、前記バルブボディは、圧力変換器通路をさらに具備し、
前記少なくとも１つの接続通路は、注入器接続通路と、造影剤接続通路と、生理食塩水／廃棄物接続通路とを含み、
前記造影剤位置においては、前記造影剤接続通路は、前記造影剤入力通路と前記注入器通路との間の連通を提供し、前記コンビネーション・入力／出力通路と前記圧力変換器通路との間の連通を提供し、
前記注入位置においては、前記注入器接続通路は、前記注入器通路と前記コンビネーション・生理食塩水／廃棄物・入力／出力通路との間の連通を提供し、前記圧力変換器接続通路は、前記バルブステムによって閉鎖され、
前記生理食塩水／廃棄物位置においては、前記生理食塩水／廃棄物接続通路は、前記生理食塩水／廃棄物・入力／出力通路と前記注入器通路との間の連通を提供し、前記圧力変換器接続通路は、前記コンビネーション・入力／出力通路と前記圧力変換器通路との間の連通を提供する請求項１記載の制御バルブ。
【請求項１５】
前記コンビネーション・入力／出力通路と、前記圧力変換器通路と、前記生理食塩水／廃棄物・入力／出力通路と、前記注入器通路とは、同一平面上にある請求項１４記載の制御バルブ。
【請求項１６】
前記コンビネーション・入力／出力通路と、前記圧力変換器通路と、前記生理食塩水／廃棄物・入力／出力通路と、前記注入器通路と、前記造影剤入力通路とは、同一平面上にある請求項１４記載の制御バルブ。
【請求項１７】
前記生理食塩水／廃棄物・入力／出力通路は、生理食塩水入力ラインと廃棄物出力ラインとの両方に接続され、
前記生理食塩水入力ラインは、前記生理食塩水／廃棄物・入力／出力通路を前記生理食塩水供給源に接続し、前記生理食塩水入力ラインは、前記生理食塩水供給源から前記食塩水廃棄物入力／出力通路への流れを許容するが、その逆方向への流れを許容しない一方向型の逆止弁を含み、
前記廃棄物出力ラインは、前記生理食塩水／廃棄物・入力／出力通路を前記廃棄物集積場に接続し、前記廃棄物出力ラインは、前記生理食塩水／廃棄物・入力／出力通路から前記廃棄物集積場への流れを許容するが、その逆方向への流れを許容しない一方向型の逆止弁を含む請求項１４記載の制御バルブ。
【請求項１８】
前記少なくとも１つの接続通路は、注入器接続通路とコンビネーション・生理食塩水／廃棄物／造影剤接続通路とを含み、
前記造影剤位置においては、前記コンビネーション・生理食塩水／廃棄物／造影剤接続通路は、前記造影剤入力通路と前記注入器通路との間の連通を提供し、
前記注入位置においては、前記注入器接続通路は、前記注入器通路と前記出力通路との間の連通を提供し、
前記生理食塩水／廃棄物位置においては、前記コンビネーション・生理食塩水／廃棄物／造影剤接続通路は、前記生理食塩水／廃棄物・入力／出力通路と前記注入器通路との間の連通を提供する請求項１記載の制御バルブ。
【請求項１９】
前記バルブステムは、第１の結合通路と第２の結合通路とをさらに具備し、前記バルブボディは、圧力変換器ポートをさらに具備し、
前記造影剤位置においては、前記第１の結合通路は、前記出力通路と前記圧力変換器通路との間の連通を提供し、
前記注入位置においては、前記圧力変換器通路は、前記バルブステムによって閉鎖され、
前記生理食塩水／廃棄物位置においては、前記第２の結合通路は、前記出力通路と前記圧力変換器通路との間の連通を提供する請求項１８記載の制御バルブ。
【請求項２０】
前記バルブボディの少なくとも１つの出力通路は、前記カテーテルに接続され、造影剤出力通路と生理食塩水出力通路とを含む２つの出力通路を具備し、
前記バルブボディは、廃棄物入力通路をさらに備え、
前記バルブボディの少なくとも１つの生理食塩水／廃棄物・入力／出力通路は、個別の生理食塩水入力通路と個別の廃棄物出力通路とを具備し、
前記バルブステムの接続通路は、前記バルブステムに沿って軸方向に延び、
前記バルブステムは、前記接続通路を通じて、且つ、前記バルブステムを通じて横方向に延びる造影剤結合通路と、前記接続通路を通じて、且つ、前記バルブステムを通じて横方向に延びる生理食塩水結合通路と、前記接続通路を通じて、且つ、前記バルブステムを通じて横方向に延びる廃棄物結合通路とをさらに備え、
前記造影剤位置においては、前記接続及び造影剤結合通路は、前記注入器通路と、前記造影剤入力通路と、前記造影剤出力通路との間の連通を提供し、前記造影剤位置においては、前記生理食塩水及び廃棄物結合通路は、前記バルブボディによって閉鎖され、
前記注入位置においては、前記接続及び生理食塩水結合通路と、前記注入器通路と、前記生理食塩水出力通路と、前記生理食塩水入力通路との間の連通を提供し、前記注入位置においては、前記造影剤及び廃棄物結合通路は、前記バルブボディによって閉鎖され、
前記生理食塩水／廃棄物位置においては、前記接続及び廃棄物結合通路は、前記注入器通路と、前記廃棄物入力通路と、前記廃棄物出力通路との間の連通を提供し、前記生理食塩水／廃棄物位置においては、前記生理食塩水及び造影剤結合通路は、前記バルブボディによって閉鎖される請求項１記載の制御バルブ。
【請求項２１】
前記廃棄物入力通路は、該廃棄物入力通路を前記カテーテルに接続する廃棄物入力ラインに接続され、該廃棄物入力ラインは、前記カテーテルから前記廃棄物入力通路への流れを許容するが、その逆方向の流れを許容しない一方向型の逆止弁を含み、
前記生理食塩水出力通路は、該生理食塩水出力通路を前記カテーテルに接続する生理食塩水出力ラインに接続され、該生理食塩水出力ラインは、前記生理食塩水出力通路から前記カテーテルへの流れを許容するが、その逆方向の流れを許容しない一方向型の逆止弁を含み、
前記造影剤出力通路は、該造影剤出力通路を前記カテーテルに接続する造影剤出力ラインに接続され、該造影剤出力ラインは、前記造影剤出力通路からカテーテルへの流れを許容するが、その逆方向の流れを許容しない一方向型の逆止弁を含んでいる請求項２０記載の制御バルブ。
【請求項２２】
前記生理食塩水入力通路は、該生理食塩水入力通路を前記生理食塩水供給源に接続する生理食塩水入力ラインに接続され、該生理食塩水入力ラインは、前記生理食塩水供給源から前記生理食塩水入力通路への流れを許容するが、その逆方向への流れを許容しない一方向型の逆止弁を含み、
前記造影剤入力通路は、該造影剤入力通路を前記造影剤供給源に接続する造影剤入力ラインに接続され、該造影剤入力ラインは、前記造影剤供給源から前記造影剤入力通路への流れを許容するが、その逆方向への流れを許容しない一方向型の逆止弁を含み、
前記廃棄物出力通路は、該廃棄物出力通路を前記廃棄物集積場に接続する廃棄物出力ラインに接続され、該廃棄物出力ラインは、前記廃棄物出力通路から前記廃棄物集積場への流れを許容するが、その逆方向への流れを許容しない一方向型の逆止弁を含んでいる請求項２０記載の制御バルブ。
【請求項２３】
カテーテルと、生理食塩水供給源と、廃棄物集積場と、造影剤供給源と、注入器との間の流体の流れを制御する流体制御バルブであって、
少なくとも３つの回転位置へ移動可能な単一のバルブ手段を備え、該バルブ手段は、
前記生理食塩水供給源を隔離している間に前記バルブ手段が前記注入器と前記造影剤供給源との間の連通を提供する造影剤位置と、
前記造影剤供給源を隔離している間に前記バルブ手段が前記注入器と前記生理食塩水供給源と前記廃棄物集積場との間の連通を提供する生理食塩水／廃棄物位置と、
前記造影剤供給源を隔離している間に前記バルブ手段が前記注入器と前記カテーテルとの間の連通を提供する注入位置と
を含んでいる流体制御バルブ。
【請求項２４】
カテーテルと、生理食塩水供給源と、廃棄物集積場と、造影剤供給源と、圧力変換器と、注入器との間の流体の流れを制御する流体制御バルブであって、
少なくとも３つの回転位置へ移動可能な単一のバルブ手段を備え、該バルブ手段は、
前記生理食塩水供給源を隔離している間、且つ、前記カテーテル及び圧力変換器を前記注入器から隔離している間であるが、前記カテーテルと前記圧力変換器との間の連通を提供している間に、前記バルブ手段が前記注入器と前記造影剤供給源との間の連通を提供する造影剤位置と、
前記造影剤供給源を隔離している間、且つ、前記カテーテル及び圧力変換器を前記注入器から隔離している間であるが、前記カテーテルと前記圧力変換器との間の連通を提供している間に、前記バルブ手段が前記注入器と前記生理食塩水供給源と廃棄物集積場との間の連通を提供する生理食塩水／廃棄物位置と、
前記圧力変換器、造影剤供給源、及び廃棄物集積場を隔離している間に、前記バルブ手段が前記注入器と前記カテーテルとの間の連通を提供する注入位置と
を含んでいる流体制御バルブ。
【請求項２５】
カテーテルと、生理食塩水供給源と、廃棄物集積場と、造影剤供給源と、圧力変換器と、注入器との間の流体の流れを制御する流体制御バルブであって、
少なくとも３つの回転位置へ移動可能な単一のバルブ手段を備え、該バルブ手段は、
前記生理食塩水供給源を隔離している間、且つ、前記カテーテル及び圧力変換器を前記注入器から隔離している間であるが、前記カテーテルと圧力変換器との間の連通を提供している間に、前記バルブ手段が前記注入器と前記造影剤供給源との間の連通を提供する造影剤位置と、
前記造影剤供給源を隔離している間、且つ、前記カテーテル及び圧力変換器を前記注入器から隔離している間であるが、前記カテーテルと前記圧力変換器との間の連通を提供している間に、前記バルブ手段が前記注入器と前記廃棄物集積場との間の連通を提供する廃棄物位置と、
前記圧力変換器、造影剤供給源、及び廃棄物集積場を隔離している間に、バルブ手段が、前記注入器と、前記生理食塩水供給源と、前記カテーテルとの間の連通を提供する注入位置と
を含んでいる流体制御バルブ。
【発明の詳細な説明】
【技術分野】
【０００１】
流体制御バルブが開示される。特に、複数の入力及び出力ポート間の流体の流れを選択的に制御し、また、圧力変換器ポートと出力ポートとの間の連通を選択的に提供する流体制御バルブが圧力変換器ポートを選択的に隔離することが開示される。開示される流体制御バルブは、血管内医療処置の際に注入される様々な流体を制御するのに使用される。特に、開示される流体制御バルブは、血管内処置の際に造影剤及び生理食塩水の溶液の制御及び注入を容易にする。
【背景技術】
【０００２】
様々な医学的処置には、カテーテルを使用して患者の身体内への流体の導入が含まれる。一連の異なる流体が投与される場合には、次の流体が投与される前に、或る流体をカテーテルから洗い流すことが多くの場合必要である。例えば、血管形成中に、カテーテルは、造影剤溶液の追加の前及び／又は後にしばしば生理食塩水で洗い流される。さらに、空気のどのような注入ラインもパージし、該ラインへの空気の再導入を防止することも必要である。
【０００３】
したがって、造影剤溶液源、生理食塩水源、及び廃棄物集積場のような多くの流体源のうちの任意の１つにカテーテルを選択的に接続することが多くの場合には必要である。
さらに、処置の際に、血管内の圧力を監視する圧力変換器にカテーテルを接続することが多くの場合には必要である。
【０００４】
これらの種類の処置に最も一般的に用いられる装置には、複数の栓バルブを直列に接続してなるマニホールドへのカテーテルの接続が含まれている。栓のうちの１つがカテーテルに接続される一方、他の栓は、流体供給源、圧力変換器、注入機構、又はその他の設備に接続される。内科医は、処置の際に栓バルブを選択的に開閉することを要求される。
【０００５】
内科医がカテーテルへの又はカテーテルからの所望の流れ経路を達成する処理の間に多数の栓バルブを操作することを要求されるので、それは、先行技術のマニホールドのうちの１つを適切に操作する方法を学習する相当な程度のトレーニングを要する。さらに、それが、マニホールドを見て流体がどのように流れているかは直ちに明白にならないので、不適当な接続を行なってしまうことが簡単に起こり、結果として、圧力変換器に高圧の流体が加えられ、変換器の損傷又は故障を引き起こす。
【０００６】
さらに、これらのいわゆる栓マニホールドは、多数の可動部品を含んでいるので、製造するのが高価になる。さらに、多数の栓バルブがこれらのマニホールドのうちの１つに関係するので、ハンドルは、互いに対する干渉を引き起こさないように小さくなければならない。しかしながら、小さなハンドルは、掴むこと及び操作することが困難になり得る。
【０００７】
その結果、より少数の可動部品を含み、内科医にとって操作することが容易な改良されたマニホールドシステムの要求がある。
【発明の開示】
【０００８】
カテーテルと、生理食塩水供給源と、廃棄物集積場と、造影剤供給源と、注入器との間の流体の流れを制御する流体制御バルブが開示される。１つの実施の形態においては、少なくとも３つの回転位置へ移動可能な単一のバルブ手段が開示される。上記３つの回転位置は、バルブ手段が生理食塩水供給源を隔離している間に、注入器と造影剤供給源との間の連通を提供する造影剤位置と、バルブ手段が造影剤供給源を隔離している間に、注入器と生理食塩水供給源と廃棄物集積場との間の連通を提供する生理食塩水／廃棄物位置と、バルブ手段が造影剤供給源を隔離している間に、注入器とカテーテルとの間の連通を提供する注入位置とを含んでいる。
【０００９】
さらなる改良点においては、カテーテルと、生理食塩水供給源と、廃棄物集積場と、造影剤供給源と、圧力変換器と、注入器との間の流体の流れを制御する流体制御バルブが開示される。この改良点においては、上記制御バルブは、少なくとも３つの回転位置へ移動可能な単一のバルブ手段を備え、該少なくとも３つの回転位置は、バルブ手段が生理食塩水供給源を隔離している間に、且つ、カテーテル及び圧力変換器を注入器から隔離している間に、カテーテルと圧力変換器との間の連通を提供する間に、注入器と造影剤供給源との間の連通を提供する造影剤位置と、バルブ手段が造影剤供給源を隔離している間に、且つ、カテーテル及び圧力変換器を注入器から隔離しているが、カテーテルと圧力変換器との間の連通を提供している間に、注入器と造影剤供給源と廃棄物集積場との間の連通を提供する生理食塩水／廃棄物位置と、バルブ手段が圧力変換器と造影剤供給源と廃棄物集積場とを隔離している間に、注入器とカテーテルとの間の連通を提供する注入位置と含んでいる。
【００１０】
さらに別の改良点においては、上記流体制御バルブは、カテーテルと、生理食塩水供給源と、廃棄物集積場と、造影剤供給源と、圧力変換器と、注入器との間の流体の制御のために開示される。上記制御バルブは、少なくとも３つの回転位置へ移動可能な単一のバルブ手段を備え、該少なくとも３つの回転位置は、生理食塩水供給源を隔離している間に、且つ、カテーテルと圧力変換器とを注入器から隔離しているが、カテーテルと圧力変換器との間の連通を提供している間に、バルブ手段が注入器と造影剤供給源との間の連通を提供する造影剤位置と、造影剤供給源を隔離している間に、且つ、カテーテルと圧力変換器とを注入器から隔離しているが、カテーテルと圧力変換器との間の連通を提供している間に、バルブ手段が注入器と廃棄物集積場との間の連通を提供する廃棄物位置と、圧力変換器と造影剤供給源と廃棄物集積場とを隔離している間に、バルブ手段が注入器と生理食塩水供給源とカテーテルとの間の連通を提供する注入位置とを含んでいる。
【００１１】
別の改良点においては、上記流体制御バルブは、カテーテルと、生理食塩水供給源と、廃棄物集積場と、造影剤供給源と、注入器との間の流体の制御のために開示される。上記流体制御バルブは、筒状孔及び外表面を含むバルブボディを備えている。上記バルブボディは、筒状孔と外表面との間の連通を提供する複数の通路をさらに備えている。上記複数の通路は、カテーテルに接続された少なくとも１つの出力通路と、造影剤供給源に接続された造影剤入力通路と、生理食塩水供給源及び廃棄物集積場に接続された少なくとも１つの生理食塩水／廃棄物・入力／出力通路と、注入器に接続された少なくとも１つの注入器通路とを含んでいる。筒状のバルブステムは、筒状孔内で回転可能に配置される。上記バルブステムは、中心軸を有している。上記バルブステムは、該バルブステムを通じて延びる少なくとも１つの接続通路をさらに備えている。上記接続通路は、選択的に、バルブステムの回転位置に依存して、出力通路と造影剤入力通路とのうちの少なくとも１つ中の注入器通路と、生理食塩水／廃棄物・入力／出力通路とを接続するか、又はこれらの間の連通を提供する。上記バルブステムは、筒状孔内で少なくとも３つの回転可能な位置へ回転可能である。それらの回転可能な位置は、バルブステムの接続が注入器通路と造影剤入力通路との間の連通を提供する造影剤位置と、接続通路が注入器通路と生理食塩水／廃棄物・入力／出力通路との間の連通を提供する生理食塩水／廃棄物位置と、接続通路が注入器通路と出力通路との間の連通を提供する注入位置とを含んでいる。
【００１２】
さらなる改良点においては、上記バルブボディの少なくとも出力通路は、カテーテルに接続され、造影剤出力通路と生理食塩水出力通路とを含む２つの出力通路を含んでいる。上記バルブボディは、廃棄物入力通路をさらに備えている。上記バルブボディの少なくとも１つの生理食塩水／廃棄物・入力／出力通路は、個別の生理食塩水入力通路と個別の廃棄物出力通路とをさらに含んでいる。上記少なくとも１つの注入器通路は、造影剤注入器通路と、生理食塩水注入器通路と、廃棄物注入器通路とを含んでいる。上記バルブステムは、接続通路からバルブステムを通じて外方へ延びる結合通路をさらに備えている。上記造影剤位置においては、接続通路は、造影剤注入器通路と造影剤出力通路との間の連通を提供する。結合通路は、造影剤入力通路と接続通路との間の連通を提供する。上記注入位置においては、接続通路は、生理食塩水注入器通路と生理食塩水出力通路との間の連通を提供する。上記結合通路は、接続通路と生理食塩水入力通路との間の連通を提供する。上記生理食塩水／廃棄物位置においては、接続通路は、廃棄物入力通路と廃棄物注入器通路との間の連通を提供し、結合通路は、接続通路と廃棄物出力通路との間の連通を提供する。
【００１３】
さらなる改良点においては、廃棄物入力通路は、廃棄物入力通路をカテーテルに接続する廃棄物入力ラインに接続される。上記廃棄物入力ラインは、カテーテルから廃棄物入力通路への流れを許容するが、その逆方向への流れを許容しない一方向型の逆止弁を含んでいる。上記生理食塩水出力通路は、生理食塩水出力通路をカテーテルに接続する生理食塩水出力ラインに接続される。上記生理食塩水出力ラインは、生理食塩水出力通路からカテーテルへの流れを許容するが、その逆方向への流れを許容しない一方向型の逆止弁を含んでいる。上記造影剤出力通路は、造影剤出力通路をカテーテルに接続する造影剤出力ラインに接続される。上記造影剤出力ラインは、造影剤出力通路からカテーテルへの流れを許容するが、その逆方向への流れを許容しない一方向型の逆止弁を含んでいる。
【００１４】
さらなる改良点においては、上記生理食塩水入力通路は、生理食塩水入力ライン通路を生理食塩水供給源に接続する生理食塩水入力ラインに接続される。上記生理食塩水入力ラインは、生理食塩水供給源から生理食塩水入力通路への流れを許容するが、その逆方向への流れを許容しない一方向型の逆止弁を含んでいる。上記造影剤入力通路は、造影剤入力通路を造影剤供給源に接続する造影剤入力ラインに接続される。上記造影剤入力ラインは、造影剤供給源から造影剤入力通路への流れを許容するが、その逆方向への流れを許容しない一方向型の逆止弁を含んでいる。廃棄物出力通路は、廃棄物出力通路を廃棄物集積場に接続する廃棄物出力ラインに接続される。上記廃棄物出力ラインは、廃棄物出力通路から廃棄物集積場への流れを許容するが、その逆方向への流れを許容しない一方向型の逆止弁を含んでいる。
【００１５】
別の改良点においては、上記生理食塩水／廃棄物・入力／出力通路は、生理食塩水入力ラインと廃棄物出力ラインとの両方に接続される。上記生理食塩水入力ラインは、生理食塩水／廃棄物・入力／出力通路を生理食塩水供給源に接続する。上記生理食塩水入力ラインは、生理食塩水供給源から生理食塩水／廃棄物・入力／出力通路への流れを許容するが、その逆方向への流れを許容しない一方向型の逆止弁を含んでいる。上記廃棄物出力ラインは、生理食塩水／廃棄物・入力／出力通路を廃棄物集積場に接続する。上記廃棄物出力ラインは、生理食塩水／廃棄物・入力／出力通路から廃棄物集積場への流れを許容するが、その逆方向への流れを許容しない一方向型の逆止弁を含んでいる。
【００１６】
別の改良点においては、上記バルブステムの少なくとも１つの接続通路は、生理食塩水／廃棄物接続通路と、注入器接続通路と、造影剤接続通路とを含んでいる。上記造影剤位置においては、造影剤接続通路は、注入器通路と造影剤入力通路との間の連通を提供する。上記生理食塩水／廃棄物位置においては、生理食塩水／廃棄物接続通路は、注入器通路と造影剤入力通路との間の連通を提供する。上記生理食塩水／廃棄物位置においては、生理食塩水／廃棄物接続通路は、注入器通路と生理食塩水／廃棄物・入力／出力通路との間の連通を提供する。上記注入位置においては、注入器接続通路は、注入器通路と出力通路との間の連通を提供する。
【００１７】
上記概念のさらなる改良点においては、上記バルブボディは、第２の圧力変換器通路内の第１の圧力変換器通路をさらに含んでいる。上記造影剤位置においては、生理食塩水／廃棄物接続通路は、出力通路と第１の圧力変換器通路との間の連通を提供する。上記生理食塩水／廃棄物位置においては、造影剤接続通路は、出力通路と第２の圧力変換器通路との間の連通を提供する。
【００１８】
上記概念のさらなる改良点においては、上記バルブステムは、造影剤接続通路からバルブステムに沿って軸方向にバルブステムを通じて外方へ延びる第１の結合通路をさらに備えている。上記造影剤接続通路は、第１の端部と第２の端部とを含んでいる。上記バルブステムは、生理食塩水／廃棄物接続通路からバルブステムに沿って軸方向にバルブステムを通じて外方へ延びる第２の結合通路をさらに備えている。上記生理食塩水／廃棄物接続通路は、第１の端部と第２の端部とを含んでいる。上記バルブボディは、筒状孔と圧力変換器との間の連通を提供する圧力変換器通路をさらに備えている。上記造影剤位置においては、造影剤接続通路は、注入器通路と造影剤入力通路との間の連通を提供し、第１の結合通路は、圧力変換器通路と出力通路との間の連通を提供する。上記生理食塩水／廃棄物位置においては、生理食塩水／廃棄物接続通路は、注入器通路と生理食塩水／廃棄物・入力／出力通路との間の連通を提供し、第２の結合通路は、圧力変換器と出力通路との間の連通を提供する。上記注入位置においては、注入器接続通路は、注入器通路と出力通路との間の連通を提供し、圧力変換器通路は、バルブステムによって閉鎖される。
【００１９】
さらなる改良点においては、生理食塩水／廃棄物・入力／出力通路と、出力通路と、注入器通路と、造影剤入力通路とは、同一平面上にある。
【００２０】
さらなる改良点においては、上記バルブボディは、廃棄物入力通路をさらに備えている。上記バルブボディを備えた少なくとも１つの生理食塩水／廃棄物・入力／出力通路は、個別の生理食塩水入力通路と個別の廃棄物出力通路とを含んでいる。上記少なくとも１つの注入器通路は、コンビネーション・造影剤／生理食塩水注入器通路と廃棄物注入器通路とを含んでいる。上記バルブステムは、接続通路からバルブステムに沿ってバルブステムを通じて外方へ延びる結合通路を備えている。上記造影剤位置においては、接続通路は、コンビネーション・造影剤／生理食塩水注入器通路と出力通路との間の連通を提供し、また、この造影剤位置においては、結合通路は、造影剤入力通路と接続通路との間の連通を提供する。上記注入位置においては、接続通路は、コンビネーション・造影剤／生理食塩水注入器通路と出力通路との間の連通を提供し、また、この注入位置においては、結合通路は、接続通路と生理食塩水入力通路との間の連通を提供する。上記生理食塩水／廃棄物位置においては、接続通路は、廃棄物入力通路と廃棄物注入器通路との間の連通を提供し、結合通路は、接続通路と廃棄物出力通路との間の連通を提供する。
【００２１】
上記の改良点においては、生理食塩水入力通路と、出力通路と、コンビネーション・造影剤／生理食塩水注入器通路と、造影剤入力通路とは、同一平面上にある。
【００２２】
別の改良点においては、上記バルブボディの少なくとも１つの出力通路は、生理食塩水及び造影剤がカテーテルの方へ通じる、且つ、廃棄物がカテーテルから通じるコンビネーション・入力／出力通路を含んでいる。上記バルブボディは、圧力変換器通路をさらに備えている。上記少なくとも１つの接続通路は、カテーテル接続通路と、造影剤接続通路と、生理食塩水／廃棄物接続通路と、圧力変換器接続通路とを含んでいる。上記造影剤位置においては、造影剤接続通路は、造影剤入力通路と注入器通路との間の連通を提供し、圧力変換器接続通路は、コンビネーション・入力／出力通路と圧力変換器通路との間の連通を提供する。上記注入位置においては、カテーテル接続通路は、注入器通路とコンビネーション・入力／出力通路との間の連通を提供し、圧力変換器通路は、バルブステムによって閉鎖される。上記生理食塩水／廃棄物位置においては、生理食塩水／廃棄物接続通路は、生理食塩水／廃棄物・入力／出力通路と注入器通路との間の連通を提供し、圧力変換器接続通路は、コンビネーション・入力／出力通路と圧力変換器通路との間の連通を提供する。
【００２３】
上記の改良点においては、コンビネーション・入力／出力通路と、圧力変換器通路と、生理食塩水／廃棄物・入力／出力通路と、注入器通路とは、同一平面上にある。
【００２４】
上記概念の別の改良点においては、コンビネーション・入力／出力通路と、圧力変換器通路と、生理食塩水／廃棄物・入力／出力通路と、注入器通路と、造影剤入力通路とは、同一平面上にある。
【００２５】
別の改良点においては、上記少なくとも１つの接続通路は、注入器接続通路と、コンビネーション・生理食塩水／廃棄物／造影剤接続通路とを含んでいる。上記造影剤位置においては、コンビネーション・生理食塩水／廃棄物／造影剤接続通路は、造影剤入力通路と注入器通路との間の連通を提供する。上記注入位置においては、注入器接続通路は、注入器通路と出力通路との間の連通を提供する。また、上記生理食塩水／廃棄物位置においては、コンビネーション・生理食塩水／廃棄物／造影剤接続通路は、生理食塩水／廃棄物・入力／出力通路と注入器通路との間の連通を提供する。
【００２６】
上記概念の別の改良点においては、上記バルブステムは、第２の結合通路中の第１の結合通路をさらに含み、上記バルブボディは、圧力変換器ポートをさらに含んでいる。上記造影剤位置においては、第１の結合通路は、出力通路と圧力変換器通路との間の連通を提供する。上記注入位置においては、圧力変換器通路は、バルブステムによって閉鎖される。上記生理食塩水／廃棄物位置においては、第２の結合通路は、出力通路と圧力変換器通路との間の連通を提供する。
【００２７】
別の改良点においては、上記バルブボディの少なくとも１つの出力通路は、カテーテルに接続され、造影剤出力通路と生理食塩水出力通路とを含む２つの出力通路を含んでいる。上記バルブボディは、廃棄物入力通路をさらに備えている。上記バルブボディの少なくとも１つの生理食塩水／廃棄物・入力／出力通路は、個別の生理食塩水入力通路と個別の廃棄物出力通路とを含んでいる。上記バルブステムの接続通路は、バルブステムに沿って軸方向に延びている。上記バルブステムは、接続通路を通じて、且つ、バルブステムを通じて、横方向に延びる造影剤結合通路をさらに備えている。上記バルブステムもまた、接続通路を通じて、且つ、バルブステムを通じて横方向に延びる生理食塩水結合通路を備えている。さらに、上記バルブステムは、接続通路を通じて、バルブステムを通じて、横方向に延びる廃棄物結合通路をさらに備えている。上記造影剤位置においては、接続及び造影剤結合通路は、注入器通路と造影剤入力通路と造影剤出力通路との間の連通を提供する。上記造影剤位置においては、生理食塩水及び廃棄物結合通路は、バルブボディによって閉鎖される。上記注入位置においては、接続及び生理食塩水結合通路は、注入器通路と生理食塩水出力通路と生理食塩水入力通路との間の連通を提供する。上記注入位置においては、造影剤及び廃棄物結合通路は、バルブボディによって閉鎖される。上記生理食塩水／廃棄物位置においては、接続及び廃棄物結合通路は、注入器通路と廃棄物入力通路と廃棄物出力通路との間の連通を提供する。上記生理食塩水／廃棄物位置においては、生理食塩水及び造影剤結合通路は、バルブボディによって閉鎖される。
【発明を実施するための最良の形態】
【００２８】
図１は、注入器11に結合されるような流体制御バルブ10と、生理食塩水供給源12と、造影剤供給源13と、廃棄物集積場又はリザーバ14とを示している。さらに、制御バルブ10は、概略的に15で示されるカテーテルに結合されている。図１に示された実施の形態においては、３つのラインが制御バルブ10をカテーテル15に結合している。廃棄物ライン16は、カテーテル15からバルブ10を通じて、一方向弁18を通じて廃棄物リザーバ14へ廃棄物流体を連通させる一方向弁17を装備している。バルブ10の操作、及びその多数の改良点が下に説明される。造影剤ライン21は、造影剤リザーバ13から一方向型の逆止弁22を通じて、バルブ10を通じて、そして、一方向型の逆止弁23を通じてカテーテル15に取り出される流体を連通させる。最後に、生理食塩水ライン24は、生理食塩水リザーバ12から一方向型の逆止弁25を通じて、バルブ10を通じて、一方向型の逆止弁26を通じてカテーテル15に取り出される生理食塩水を連通させる。
【００２９】
生理食塩水入力ライン27中の一方向型の逆止弁25は、汚染物質が新鮮な生理食塩水供給源12に圧送されるのを防止している。廃棄物出力ライン28中の一方向型の逆止弁18は、廃棄物集積場14からの廃棄物が流体制御バルブ10及び注入器11に引き込まれるのを防止している。造影剤入力ライン31中の一方向型の逆止弁22は、廃棄物、生理食塩水、又はその他の汚染物質が新鮮な造影剤供給源13に注入されるのを防止している。一方向型の逆止弁17は、廃棄物入力ライン16中の廃棄物がカテーテル15に注入し戻されるのを防止する。造影剤出力ライン21中の一方向型の逆止弁23は、生理食塩水、廃棄物、又はその他の汚染物質が造影剤出力ライン21を通じて流れる造影剤を汚染するのを防止している。一方向型の逆止弁26は、同様に、汚染物質又は廃棄物がカテーテル15から生理食塩水出力ライン24中へ引き込まれるのを防止している。
【００３０】
さらに、圧力変換器32は、カテーテル15に結合されている。２方向で、閉じることが可能なバルブ33は、生理食塩水又は造影剤のカテーテル15への高圧注入の際に圧力変換器32を隔離するために閉じることができる。栓34は、超過した造影剤を造影剤リザーバ13に圧送し戻すことが可能な造影剤入力逆止弁22に対してバイパスを提供している。
【００３１】
流体制御バルブ10は、多くの実施の形態の形で提供することができ、それらのうちのいくつかは、図２−図６において10aで、図７−図９において10bで、図１０−図１２において10cで、図１３−図１５において10dで、図１６−図１８において10eで、図１９−図２１において10fで、図２２−図２４において10gで、図２５−図２７において10hで、図２８−図３０において10iで、及び図３１−図３４において10jで示されている。
【００３２】
次に、図２−図６を見れば、流体制御バルブ10aは、そこに配置された筒状孔42aを備えたバルブボディ41aを具備している。孔42aは、バルブステム43aを回転可能に収容している。バルブステム43aの端部は、ハンドル44aに接続されている。図４において示されるように、ハンドル44aは、好ましくは、端部表面45a上に、廃棄物のための「W」、造影剤のための「C」、及び生理食塩水又は注入のための「S」の記号の印を付けられた３つの位置へ回転可能である。図２−図６に示された実施の形態10aにおいては、バルブボディ41aは、バルブボディ46aの外表面からバルブボディ41aを通じた筒状孔42aへの９つの通路を含んでいる。図２においては、ハンドル44a及びバルブステム43aは、廃棄物位置へ回転されている（図４も参照）。この位置においては、廃棄物入力通路47a及び廃棄物出力通路48aは、バルブステム43aの接続通路49aと連通している。さらに、バルブ43aは、接続通路49aと、廃棄物入力通路47aと、廃棄物出力通路48aとの間の連通を提供する結合通路51aを含んでいる。さらに、接続通路49aは、廃棄物入力47aに位置決めされていることに加えて、廃棄物注入器通路52aに位置決めされている。
【００３３】
したがって、図２に示される位置においては、吸引は、注入器11によって加えられることが可能であり、それによって、外方への圧力が注入器11によって加えられ、それによって、廃棄物を廃棄物注入器通路52aを通じて、接続通路49aを通じて、結合通路51aを通じて、廃棄物出力通路48aへ押し出し戻す前に、廃棄物をカテーテルから廃棄物入力通路47aを通じて、接続通路49aを通じて、廃棄物注入器通路52aを通じて引き込む。廃棄物出力通路48aは、図１において示されるように廃棄物出力ライン28に接続されている。したがって、廃棄物は、図１において示されるように、一方向型の逆止弁18を通過し、廃棄物集積場14内へ流れる。廃棄物入力ライン16中の一方向型の逆止弁17（廃棄物入力通路47aに接続されている）は、廃棄物が廃棄物入力ライン16に再び入るのを防止し、それによって、廃棄物を結合通路51aを下って、廃棄物出力通路48aから外に出す。接続通路49a及び結合通路51aの構成は、さらに図３において示されている。
【００３４】
次に、図５及び図６を見れば、ハンドル44aが明瞭化のために取り除かれていることが注目されるであろう。図５においては、ハンドル44a及びバルブステム43aは、時計回りに回転されており、その結果、接続通路49aは、バルブボディ41aの１つの側にある生理食塩水注入器通路55aと、生理食塩水出力通路54aとに位置決めされる。結合通路51aは、接続通路49aから生理食塩水入力通路56aへ延びている。したがって、図５において示された位置においては、吸引は、注入器11によって生理食塩水注入器通路55aを通じて加えるられることができ、生理食塩水を生理食塩水ポート12から一方向型の逆止弁25を通じて、生理食塩水入力通路56aを通じて、結合通路51aを通じて、接続通路49aを通じて引き込まれる。実質的な量の生理食塩水は、図１において示されるように一方向型の逆止弁26のために、生理食塩水出力ライン24からバルブ10aには引き込まれない。注入器11によって加えられる正の排出圧力は、生理食塩水を生理食塩水注入器通路55aから、接続通路49aを通じて、生理食塩水出力通路54aの外へ、そして、一方向型の逆止弁26通過する前に生理食塩水出力ライン24を下って、カテーテル15へ駆動する。
【００３５】
次に、図６を見れば、ハンドル44a（図６中には示されていない）及びバルブステム43aは、さらに時計回りに回転されており、その結果、接続通路49aは、造影剤注入器通路57a及び造影剤出力通路58aに位置決めされている。結合通路51aは、接続通路49aを造影剤入力通路59aに接続する。したがって、図６に示される位置においては、注入器11によって加えられた吸引は、造影剤を、造影剤供給源13から、一方向型の逆止弁26を通じて、造影剤入力通路59aを通じて、結合通路51aへ、そして、接続通路49aへ引き込む。その後、注入器11によって加えられる正の排出圧力は、造影剤流体の、造影剤注入器通路57aから、接続通路49a、造影剤出力通路58aの外へ、そして、造影剤出力ライン21への排除に帰着し、ここでは、造影剤流体が一方向型の逆止弁23を通じてカテーテル15へ流れる。ハンドルが図６において示される位置にあるときには、ツマミ61は、図４において示されるような「C」の記号に位置決めされ、ツマミ61が図５において示される位置にあるときには、それは、図４において示される「S」の記号に位置決めされることが注目されるであろう。
【００３６】
図２、図５、及び図６において最も良く示さるように、バルブボディ41aを通じて延びる通路は、３つの平面内に配置されている。廃棄物出力通路48a、生理食塩水入力通路56a、及び造影剤入力通路59aは、１つの平面内に配置されている（図２を参照）。造影剤注入器通路57a、生理食塩水注入器通路55a、廃棄物注入器通路52a、造影剤出力通路58a、生理食塩水出力通路54a、及び廃棄物入力通路47aもまた、１つの平面内に配置されている。
【００３７】
次に、図７−図９を見れば、第２の流体制御バルブ10bが示されている。
再び、バルブボディ41bは、バルブステム43bを収容する中央孔42bと共に開示されている。バルブボディ41bを通過する通路の数は、バルブステム43bを通過する複数の接続通路と共に、２つの結合通路の使用により減少されている。特に、単一の出力通路64bは、カテーテル15に接続されるものとして提供されている。さらに、単一の注入器通路65bは、注入器11に接続されるものとして提供されている。単一の生理食塩水／廃棄物・入力／出力通路66bは、Ｙ字継ぎ手（図示せず）に接続されるものとして提供されており、換言すれば、生理食塩水入力ライン27と廃棄物出力ライン28とに接続される。造影剤入力通路59bは、造影剤入力ライン31に接続される。カテーテル15内の圧力を監視するために圧力変換器通路67bが設けられ、その使用については下で議論される。
【００３８】
次にバルブステム43b（ハンドル44に接続されており、図示されていない）を見れば、３つの個別の接続通路が提供されている。それらの接続通路は、生理食塩水／廃棄物接続通路68b、注入器接続通路69、及び造影剤接続通路72bである。さらに、バルブステム43bは、造影剤接続通路72bからバルブステム43bを通じて外方に延びる第１の結合通路73bを含んでいる。さらに、バルブステム43bは、生理食塩水／廃棄物接続通路68bからバルブステム43bを通じて外方に延びる第２の結合通路74bを含んでいる。
【００３９】
図７は、生理食塩水／廃棄物回転位置におけるバルブ10bを示している。図７に示される位置においては、生理食塩水／廃棄物接続通路68bは、注入器通路65b及び生理食塩水／廃棄物・入力／出力通路66bに位置決めされている。したがって、注入器11で加えられた吸引は、生理食塩水を、通路66bを通じて生理食塩水／廃棄物接続通路68bへ、注入器通路65bを通じて注入器11へ引き込む。
【００４０】
生理食塩水をカテーテル15に注入するために、バルブステム43bは、図８において示される位置に回転される。特に、図８においては、注入器接続通路69bは、回転され、注入器通路65b及び出力通路64bに位置決めされている。そこで、生理食塩水は、注入器接続通路69bを通じて注入され、出力通路64bを通じてカテーテル15へ注入されることが可能である。圧力変換器通路67bが図８において示される位置に隔離されることが注目されるであろう。したがって、カテーテル15に生理食塩水を注入する際の比較的高い圧力の事象は、圧力変換器によって監視されない。したがって、圧力変換器は、高圧の事象から保護される。対照的に、図７に戻って、カテーテルの圧力は、圧力変換器通路67bが第１の結合通路73bによって出力通路64b（カテーテル15に接続されている）と連通しているので、図７において示される生理食塩水／廃棄物位置において監視されることができる。どの結合通路も、図８において示される注入位置においては、出力通路64bを通じて圧力変換器通路67bを結合しない。
【００４１】
廃棄物がカテーテルから引き出される必要がある場合には、図８に示される位置においては、吸引は、注入器通路65bに加えられ、これによって、廃棄物を出力通路64b及び注入器接続通路69bを通じて注入器11へ引き込む。その後、バルブは、図７において示される生理食塩水／廃棄物位置へ回転され、廃棄物は、注入器通路65bを通じて、生理食塩水／廃棄物接続通路68bを通じて、生理食塩水／廃棄物・入力／出力通路66bを通じて、そして、廃棄物出力ライン28へ追い出される。
【００４２】
造影剤供給源13から造影剤を引き出すには、バルブステム42bは、図９において示される位置へ回転される。特に、造影剤接続通路72bは、それが注入器通路65b及び造影剤入力通路59bに位置決めされる位置へ移動される。そこで、造影剤は、造影剤リザーバ13から、造影剤入力ライン31を通じて、造影剤入力通路59bを通じて、造影剤接続通路72bを通じて、注入器通路65bを通じて、そして、注入器11へ取り出されることが可能である。カテーテル15に造影剤を注入するには、バルブステム43bは、図８における位置へ回転される。注入器11に造影剤（図９）を装填する一方、出力通路64bが第２の結合通路74bによって圧力変換器通路67bに結合される際に、カテーテル内の圧力を監視することが可能である。
【００４３】
次に、図１０−図１２において示される実施の形態10cを見れば、バルブボディ41cの通路は、２つの平面内に配置されている。特に、カテーテル15に接続される個別の廃棄物入力通路47cが設けられている。個別の廃棄物出力通路48cは、廃棄物出力ライン28に接続されている。廃棄物注入器通路52cは、廃棄物入力通路47c及び廃棄物出力通路48cと同じ平面上に配置されるが、バルブボディ41cの径方向の逆の位置に配置される。生理食塩水入力通路56cは、コンビネーション・造影剤／生理食塩水出力通路76cと共面の関係で配置される。コンビネーション・造影剤／生理食塩水出力通路76c及び生理食塩水入力通路56cの径方向に逆であるが、共面の関係は、コンビネーション・造影剤／生理食塩水注入器通路77c及び造影剤入力通路59cである。
【００４４】
図１０に示される位置においては、吸引は、注入器11によって加えられ、それによって、造影剤を、造影剤入力通路59cを通じて、結合通路73cを通じて、コンビネーション・造影剤／生理食塩水注入器通路77cを通じて注入器11へ引き込む。カテーテル・ラインの一方向型の逆止弁は、実質的な量の流体がコンビネーション・造影剤／生理食塩水出力通路76cを通じて引き出されるのを防止する。その後、造影剤は、造影剤流体を、注入器通路77cを通じて、接続通路49cを通じて、カテーテル15へ出力通路76cから外に押し出す正の排出圧力を注入器11から加えることによって注入されることが可能である。一方向型の逆止弁22及び造影剤ライン31は、実質的な量の造影剤流体が造影剤ライン31に再び入るのを防止する。
【００４５】
カテーテルから廃棄物を取り除くには、バルブステム43cは、図１１において示される位置へ回転される。この位置においては、廃棄物が、カテーテル15から、廃棄物入力通路47cを通じて、接続通路49cを通じて、廃棄物注入器通路52cを通じて、注入器11を通じて引き出される。廃棄物ライン28における一方向型の逆止弁18は、実質的な量の廃棄物が廃棄物出力通路48cを通じて及び結合通路73cを通じて引き出されるのを防止する。廃棄物を追い出すために、正の排出圧力が、接続通路49cを通じて、結合通路73cを通じて、廃棄物出力通路48cの外に、廃棄物ライン28へ廃棄物を追い出す注入器11によって提供される。カテーテル15に接続された廃棄物ライン16における一方向型の逆止弁17は、実質的な量の廃棄物が、廃棄物入力通路47cに接続される廃棄物入力ライン16に再び入るのを防止する。
【００４６】
生理食塩水供給源12から生理食塩水を引き出すには、また、カテーテル15に生理食塩水を注入するには、バルブステム43cは、図１２において示される位置へ回転される。特に、そこで、接続通路49cは、コンビネーション・造影剤／生理食塩水出力通路76cに位置決めされている。結合通路73cは、接続通路49cと生理食塩水入力通路56cとの間の連通を提供する。生理食塩水は、コンビネーション・造影剤／生理食塩水注入器通路77cを通じて注入器11へ引き込まれる。生理食塩水出力ライン24における一方向型の逆止弁26は、ライン24内の実質的な量の生理食塩水が注入器11へ引き込まれるのを防止する。カテーテル15に第１の生理食塩水を注入するには、正の排出圧力が、生理食塩水（カテーテル15へ一方向型の逆止弁26を通過する）を注入器通路77cを通じて、接続通路49cを通じて、コンビネーション・造影剤／生理食塩水出力通路76cの外に、生理食塩水出力ライン24へ追い出す注入器11によって加えられる。
【００４７】
次に、図１３−図１５において示される実施の形態10dに見れば、バルブボディ41dを通じた通路が単一の平面内に配置されることが注目されるであろう。特に、単一の出力通路64dは、コンビネーション・生理食塩水／廃棄物・入力／出力通路66dと共面の関係で提供される。これらの２つの通路とは径方向の逆にあるのは、注入器通路65d及び造影剤入力通路59dである。２つの接続通路がバルブステム43dを通じて延びている。それらの接続通路は、生理食塩水／廃棄物接続通路68d及び注入器接続通路69dを含んでいる。図１３に示される位置においては、造影剤入力通路59dは、結合通路73dによって注入器通路65dに結合される。造影剤は、造影剤リザーバ13から、造影剤ライン31を通じて、一方向型の逆止弁22を通じて、造影剤入力通路59dを通じて、結合通路73dを通じて、注入器通路65dを通じて注入器11へ引き込まれることが可能である。カテーテル15に造影剤を注入するために、バルブステム43dは、図１５において示される位置へ回転される。この位置においては、注入器接続通路69dは、造影剤ライン21又はその他の複数の接続ライン経由でカテーテルに接続される出力通路64dに位置決めされている。注入器11によって加えられた圧力は、造影剤流体を、注入器通路65dを通じて、注入器接続通路69dを通じて、カテーテル15へ出力通路64dの外に押し出す。図１５において示される位置において結合通路73dが隔離位置へ回転されていることは分かるであろう。
【００４８】
生理食塩水供給源12から生理食塩水を取り出すには、バルブステム43dは、図１４において示される位置へ回転される。特に、コンビネーション・生理食塩水／廃棄物接続通路68dは、コンビネーション・生理食塩水／廃棄物・入力／出力66d及び注入器通路65dに位置決めされる位置へ回転される。生理食塩水は、リザーバ12から、ライン27を通じて、入力通路66dを通じて、注入器通路65dを通じて、生理食塩水／廃棄物接続通路68を通じて注入器11へ引き込まれることが可能である。カテーテル15に生理食塩水を注入するには、バルブステム43は、図１５において示される位置に戻される。カテーテルから廃棄物を引き出すには、バルブステム43d、さらに、図１５において示される位置へ回転される。
【００４９】
次に、図１６−図１８において示される実施の形態10eを見れば、単一のコンビネーション・入力／出力通路78eが提供される。コンビネーション・入力／出力通路78eに隣接しているのは、圧力変換器通路67eである。出力通路78e及び圧力変換器通路67eと径方向に逆にあるのは、注入器通路65e及びコンビネーション・生理食塩水／廃棄物・入力／出力通路66eである。バルブステム43eは、注入器接続ライン69eと、造影剤接続通路72eと、生理食塩水／廃棄物接続通路68eと、２つの圧力変換器接続通路81e，82eとを含んでいる。造影剤入力通路は、59eで示されている。
【００５０】
図１６に示される位置においては、材料は、注入器11からカテーテル15へ注入されることが可能である。特に、注入器接続通路69eは、注入器通路65eとコンビネーション・入力／出力通路78eとに位置決めされる。この位置においては、圧力変換器通路67eは、高圧の事象を回避するために隔離される。さらに、図１６においては、カテーテルからの廃棄物は、コンビネーション・入力／出力通路78eを通じて、注入器接続通路69eを通じて、注入器通路65eを通じて注入器11へ引き込まれることが可能である。注入器11から廃棄物を追い出すには、バルブステム43eは、図１７において示される位置へ回転される。廃棄物は、注入器通路65eを通じて、生理食塩水／廃棄物接続通路68eを通じて、生理食塩水／廃棄物・入力／出力通路66eの外へ追い出される。一方向型の逆止弁25及び生理食塩水ライン27は、廃棄物が生理食塩水ライン27に入るのを防止する。図１７に示される位置においては、注入器11は、生理食塩水も装填されることが可能である。生理食塩水は、生理食塩水／廃棄物・入力／出力通路66eを通じて、生理食塩水／廃棄物接続通路68eを通じて、注入器通路65eを通じて引き出される。生理食塩水をカテーテルに注入するには、バルブステム43eは、図１６において示される位置に戻される。図１７に記述された生理食塩水装填及び廃棄物排除処理の間、圧力変換器接続通路81eが入力／出力通路78eと圧力変換器通路67eとの間の連通を提供することが注目されるであろう。したがって、カテーテル内の圧力は、これらの処理の両方の間に監視されることができる。
【００５１】
造影剤を注入器に装填するには、バルブステム43eは、図１８において示される位置へ回転される。造影剤は、造影剤入力通路59eを通じて、造影剤接続通路72eを通じて、注入器通路65eに引き込まれる。第２の圧力変換器接続通路82eは、入力／出力通路78e経由でカテーテルと圧力変換器通路67eとの間の連通を提供する。したがって、カテーテル15内の圧力も、造影剤装填処理の間に監視されることができる。造影剤をカテーテルに注入するには、バルブステム43eは、図１６において示される位置に戻される。
【００５２】
次に、図１９−図２１に示された実施の形態10fを見れば、コンビネーション・入力／出力通路78fは、圧力変換器通路67fに対して共面の関係で設けられている。注入器通路65fは、造影剤入力通路59fと生理食塩水／廃棄物・入力／出力通路66fとの間に配置される。図１９−図２１において示されるように、コンビネーション・入力／出力通路78f（カテーテル15に接続される）と、圧力変換器通路67fと、造影剤入力通路59fと、注入器通路65fと、生理食塩水／廃棄物・入力／出力通路66fとは、すべて、互いに対して共面の関係にある。バルブステム43fは、注入器接続通路69fと、２つの圧力変換器接続通路81f，82fと、生理食塩水接続通路83fと、造影剤接続通路72fとを含んでいる。図１９に示される位置においては、生理食塩水は、生理食塩水を生理食塩水供給源12から、生理食塩水／廃棄物・入力／出力通路66fに接続される生理食塩水ライン27を通じて流れさせる注入器通路65fを通じて吸引を加えることにより、注入器11に装填されることが可能である。生理食塩水は、生理食塩水接続通路83fを通じて注入器通路65fへ、そして、注入器11へ流れる。生理食塩水をカテーテル15内に注入するには、バルブステム43fは、図２１における位置へ回転される。同様に、廃棄物をカテーテル15内に引き込むには、図２１において示される位置が利用される。廃棄物をカテーテル11から追い出すには、バルブステム43fは、図１９において示される位置へ回転され、ここでは、廃棄物は、コンビネーション・生理食塩水／廃棄物・入力／出力通路66fを通じて追い出される。同様に、廃棄物をカテーテル15内に引き込むには、図２１において示される位置が利用される。廃棄物を注入器11から追い出すには、図１９において示される位置が利用される。
【００５３】
造影剤を注入器11に引き入れるには、図２０において示される位置が利用される。特に、造影剤は、造影剤リザーバ13から、造影剤ライン28を通じて、一方向型の逆止弁22を通じて、造影剤入力通路59fを通じて引き込まれる。造影剤は、造影剤接続通路72fを通じて、注入器通路65fを通じて、注入器11に進められる。造影剤をカテーテル15に注入するには、バルブステム43fは、図２１において示される位置に再び戻される。カテーテル内の圧力が、圧力変換器接続通路81fが圧力変換器通路67fと入力／出力通路78fとの間の連通を提供するときに、図２０に関して記述された造影剤装填処理の間に監視されることができることが注目されるであろう。同様に、カテーテル内の圧力は、圧力変換器接続通路82fが圧力変換器通路67fと入力／出力通路78fとの間の連通を提供するときに、図１９に関して上述された生理食塩水装填処理及び廃棄物排除処理の間に監視されることができる。注入処理の間、図２１において示されるように、圧力変換器通路67fが隔離される。
【００５４】
次に、図２２−図２４において示された実施の形態10gを見れば、バルブステム43gは、図７−図９において示される実施の形態10bと同様に、３つの接続通路を装備している。特に、バルブステム43gは、生理食塩水／廃棄物接続通路を68gと、注入器接続通路69gと、造影剤接続通路72gとを含んでいる。バルブボディ41gは、注入器通路65gと、コンビネーション・生理食塩水／廃棄物・入力／出力通路66gと、カテーテル15に接続されるコンビネーション・入力／出力通路78gと、造影剤入力通路59gとを含んでいる。図２２に示される位置においては、図１において上で議論された一方向型の逆止弁25，18を再び使用して、生理食塩水が注入器11に装填されるか、又は、廃棄物が注入器11から追い出されることが可能である。図２３に示される位置においては、生理食塩水がカテーテル15に注入されるか、又は、廃棄物がカテーテル15から注入器11に引き込まれることが可能である。同様に、図２３においては、注入器11に以前装填された造影剤は、カテーテル15に注入されることが可能である。図２４においては、造影剤は、図２３において示される位置を使用してカテーテル15に注入される前に、注入器11に装填されることが可能である。
【００５５】
次に、図２５−図２７において示された実施の形態10hを見れば、２つの圧力変換器通路67h及び84hが設けられている。図２５において示される注入位置においては、圧力変換器通路67h，84hが隔離されている。しかしながら、生理食塩水が注入器11に装填されるか又は廃棄物が注入器11から追い出されるとき、バルブステム43hが図２６において示される回転位置にあるときには、カテーテル15内の圧力は、図２６において示されるように圧力変換器通路84h及び入力／出力通路78hに位置決めされる造影剤接続通路72h経由で圧力変換器通路84を通じて監視されることが可能である。さらに、造影剤が注入器11に装填されるとき、バルブステム43hが図２７において示される位置にあるときには、カテーテル15内の圧力は、生理食塩水／廃棄物接続通路68hが圧力変換器通路67h及び入力／出力通路78hに位置決めされるときに、圧力変換器通路57hを通じて監視されることが可能である。そうでなければ、バルブ10hの操作は、上述の図２２−図２４において示されたバルブ10gの操作、及び図７−図９において示されたバルブ10bの操作と同一である。
【００５６】
次に、図２８−図３０において示された実施の形態10iを見れば、再び、バルブボディ41iには、単一の注入器通路65i及びカテーテル15に接続されるコンビネーション・入力／出力通路78iが設けられている。圧力変換器通路67iは、入力／出力通路78iに隣接して配置されている。コンビネーション・生理食塩水／廃棄物・入力／出力通路66iは、造影剤入力通路59iに対して径方向に逆の関係に配置されている。注入器接続通路は、69iで提供され、コンビネーション・生理食塩水／廃棄物／造影剤接続通路は、85iで示されている。接続通路85iが注入器接続通路69iと連通している間、これら２つの通路がバルブステム43i内で個別であり、連通しないことが可能であることが注目されるであろう。
【００５７】
図２８に示される位置においては、カテーテル15内の圧力は、圧力変換器接続通路又は結合通路81iを通じて監視される。生理食塩水は、コンビネーション・生理食塩水／廃棄物・入力／出力通路66i、コンビネーション・生理食塩水／造影剤／廃棄物接続通路85i、及び注入器通路65i経由で注入器11に装填されることが可能である。同様に、図２８に示される位置においては、廃棄物は、その他の実施の形態に関して上述されるように、注入器11から追い出されることが可能である。図２９は、注入位置を示し、それによって、生理食塩水又は造影剤がカテーテル15に注入されるか、又は、廃棄物がカテーテル15から引き込まれることが可能である。図２９に示される位置においては、圧力変換器通路67iが隔離されていることが注目されるであろう。図３０に示される位置においては、造影剤は、造影剤入力通路59i、接続通路85i、及び注入器通路65i経由で注入器11に装填されることが可能である。第２の結合又は圧力変換器接続通路82iは、カテーテル内の圧力が造影剤装填処理の間に監視されることができるように設けられる。
【００５８】
次に、図３１−図３４において示された実施の形態10jを見れば、バルブボディ41jは、注入器11に直接取り付けられている。バルブステム43jは、個別の造影剤出力通路58jと、個別の生理食塩水出力通路54jと、個別の廃棄物入力通路47jとを含んでいる。これらの通路と径方向の逆には、造影剤注入器通路57jと、生理食塩水注入器通路55jと、廃棄物出力通路48jとがある。ハンドル61jは、バルブステム43jに接続されている。
【００５９】
図３４において最も良く示されているように、接続通路49jは、バルブステム43jに沿って軸方向に延びている。３つの結合通路は、接続通路49jを横切って横方向に延びて設けられている。それらの結合通路は、造影剤結合通路91j、生理食塩水結合通路92j、及び廃棄物結合通路93jである。図３１に戻って、バルブステム43jは、造影剤結合通路91jが造影剤出力通路58jと造影剤注入器通路57jとの両方に位置決めされるように回転されていることが注目されるであろう。この位置においては、注入器11jは、造影剤注入器通路47j及び接続通路49jを通じて造影剤を装填されることが可能である。その後、造影剤は、接続通路49jと、造影剤結合通路91jと、造影剤出力通路58jとを通じてカテーテル15に注入されることが可能である。再び、図１で上述された一方向型の逆止弁22は、実質的な量の造影剤が造影剤注入処理の間に造影剤ライン31に再び入るのを防止する。同様に、個別の造影剤ライン21がカテーテル15に設けられた場合には、逆止弁23は、実質的な量の造影剤又は汚染物質が造影剤装填処理の間にライン21を通じて引き込まれるのを防止する。
【００６０】
次に、図３２を見れば、バルブステム43jは、生理食塩水結合通路92jが生理食塩水入力通路55j及び生理食塩水出力通路54jに位置決めされるように回転されている。この位置においては、生理食塩水は、生理食塩水入力通路55jと、生理食塩水結合通路92jと、接続通路49jとを通じて注入器11jに引き込まれることが可能である。図１において示されるように生理食塩水ライン24中の一方向型の逆止弁26は、材料がこの生理食塩水装填処理の間にカテーテル15から引き込まれるのを防止する。カテーテル15に生理食塩水を注入するために、生理食塩水は、注入器11から、接続通路49j、生理食塩水結合通路92jを通じて、そして生理食塩水出力通路54jの外へ圧送される。一方向型の逆止弁25及び生理食塩水供給源ライン27は、実質的な量の生理食塩水がライン27又は生理食塩水リザーバ12に再び入るのを防止する。
【００６１】
図３３においては、廃棄物結合通路93jが廃棄物出力通路48jと、廃棄物入力通路47jと、廃棄物結合通路93jと、接続通路49jとに位置決めされるようにバルブステム43jが回転されているので、廃棄物は、カテーテル15から引き込まれることが可能である。注入器11jによって加えられる吸引は、廃棄物をカテーテル15から廃棄物入力通路47jを通じて引き込まれる。廃棄物は、正の排出圧力を注入器11jから加えることにより、接続通路49jと、廃棄物結合通路93jと、廃棄物出力通路48jとを通じて外方に追い出される。再び、図１で上述されるような一方向型の逆止弁17及び18は、実質的な量の廃棄物が間違った方向に流れるのを防止する。
【００６２】
このように、多くの実施の形態が、単一のハンドルを利用する多数の流体の流れの構成を提供するように開示されてきた。先行技術のマニホールドによって要求される複数の栓ハンドルは、もはや必要ではない。ここに開示された実施の形態は、内科医によって操作されることはより容易であり、また、可動部品がより少数であるので、ここに議論されたフロー制御バルブは、製造がより容易でより安い。図１において示されるようにカテーテルに接続するラインの数は減少されることが可能であり、また、逆止弁は、再配置されることが可能である。
【００６３】
当業者は、変更がこの開示の精神及び範疇から逸脱せずに形態上及び詳細でなされ得ることが分かるであろう。そのため、先の詳細な記述は、限定するものではなく例示として尊重されるように意図され、次の請求の範囲（その均等物をすべて含む）が、本発明の範囲を定義するように意図される。
【図面の簡単な説明】
【００６４】
【図１】生理食塩水供給源と、造影剤供給源と、廃棄物容器と、注入器と、カテーテルと、圧力変換器とに結合されているような開示にしたがって作られた流体制御バルブを概略的に示している。
【図２】開示される流体制御バルブの斜視図である。
【図３】図２において示される流体制御バルブのバルブステム及びハンドルの斜視図である。
【図４】図２において示される流体制御バルブの端面図である。
【図５】図２において示される流体制御バルブの別の斜視図であるが、異なる回転位置にあり、ハンドルが取り除かれている。
【図６】図２において示される流体制御バルブの別の斜視図であるが、別の異なる回転位置にあり、ハンドルが取り除かれている。
【図７】上記開示に従う別の流体制御バルブの斜視図である。
【図８】図７において示される流体制御バルブの斜視図であるが、異なる回転位置にある。
【図９】図７において示される流体制御バルブの別の斜視図であるが、別の異なる回転位置にある。
【図１０】別の開示される流体制御バルブの斜視図である。
【図１１】図１０において示される流体制御バルブの別の斜視図であるが、異なる回転位置にある。
【図１２】図１０において示される流体制御バルブの別の斜視図であるが、別の異なる回転位置にある。
【図１３】上記開示に従う別の流体制御バルブの斜視図である。
【図１４】図１３において示される流体制御バルブの別の斜視図であるが、異なる回転位置にある。
【図１５】図１３において示される流体制御バルブの別の斜視図であるが、別の異なる回転位置にある。
【図１６】上記開示に従う別の流体制御バルブの斜視図である。
【図１７】図１６において示される流体制御バルブの斜視図であるが、異なる回転位置にある。
【図１８】図１６において示される流体制御バルブの別の斜視図であるが、別の異なる回転位置にある。
【図１９】上記開示に従う別の流体制御バルブの斜視図である。
【図２０】図１９において示される流体制御バルブの別の斜視図であるが、異なる回転位置にある。
【図２１】図１９において示される流体制御バルブの別の斜視図であるが、別の異なる回転位置にある。
【図２２】上記開示に従う別の流体制御バルブの端部断面図である。
【図２３】図２２において示される流体制御バルブの別の端部断面図であるが、異なる回転位置にある。
【図２４】図２２において示される流体制御バルブの別の端部断面図であるが、別の異なる回転位置にある。
【図２５】上記開示に従う別の流体制御バルブの端部断面図である。
【図２６】図２５において示される流体制御バルブの別の端部断面図であるが、異なる回転位置にある。
【図２７】図２５において示される流体制御バルブの別の端部断面図であるが、別の異なる回転位置にある。
【図２８】上記開示に従う別の流体制御バルブの端部断面図である。
【図２９】図２８において示される流体制御バルブの別の端部断面図であるが、異なる回転位置にある。
【図３０】図２８において示される流体制御バルブの別の端部断面図であるが、別の異なる回転位置にある。
【図３１】カテーテルに接続されているような開示にしたがって別の制御バルブを示す部分斜視／断面図である。
【図３２】図３１において示される流体制御バルブの別の斜視／断面図であるが、異なる回転位置にある。
【図３３】図３１において示される流体制御バルブの別の斜視／断面図であるが、別の異なる回転位置にある。
【図３４】図３１において示される流体制御バルブのハンドル／バルブステムの斜視図である。
【符号の説明】
【００６５】
10，10a−10j  流体制御バルブ
11，11j  注入器
12  生理食塩水供給源（生理食塩水リザーバ、生理食塩水ポート）
13  造影剤供給源（造影剤リザーバ）
14  廃棄物集積場（廃棄物リザーバ）
15  カテーテル
16  廃棄物入力ライン
17，18，22，23，25，26  一方向弁（逆止弁）
21  造影剤出力ライン
24  生理食塩水出力ライン
27  生理食塩水入力ライン（生理食塩水供給源ライン）
28  廃棄物出力ライン
31  造影剤入力ライン
32  圧力変換器
33  バルブ
34  栓
41a−41j  バルブボディ
42a  筒状孔
42b  中央孔
43，43a−43j  バルブステム
44，44a  ハンドル
45a  端部表面
46a  バルブボディ
47a，47c，47j  廃棄物入力通路
48a，48c  廃棄物出力通路
49a，49c，49j  接続通路
51a  結合通路
52a，52c  廃棄物注入器通路
54a，54j  生理食塩水出力通路
55a，55j  生理食塩水注入器通路（生理食塩水入力通路）
56a，56c  生理食塩水入力通路
57a，57j  造影剤注入器通路
57h  圧力変換器通路
58a，58j  造影剤出力通路
59a−59i  造影剤入力通路
61  ツマミ
61j  ハンドル
64b，64d  出力通路
65b−65i  注入器通路
66b−66i  コンビネーション・生理食塩水／廃棄物・入力／出力通路
67b−67i  圧力変換器通路
68，68b−68h  コンビネーション・生理食塩水／廃棄物接続通路
69，69b−69i  注入器接続通路（注入器接続ライン）
72b−72h  造影剤接続通路
73b−73d，  結合通路
76c  コンビネーション・造影剤／生理食塩水出力通路
77c  コンビネーション・造影剤／生理食塩水注入器通路
78e−78i  コンビネーション・入力／出力通路
81e，81f  圧力変換器接続通路
81i  結合通路
82e−82i  圧力変換器接続通路
83f  生理食塩水接続通路
84，84h  圧力変換器通路
85i  コンビネーション・生理食塩水／造影剤／廃棄物接続通路
91j  造影剤結合通路
92j  生理食塩水結合通路
93j  廃棄物結合通路
【国際公開パンフレット】
2005508224.tif 000003
2005508224.tif 000004
2005508224.tif 000005
2005508224.tif 000006
2005508224.tif 000007
2005508224.tif 000008
2005508224.tif 000009
2005508224.tif 000010
2005508224.tif 000011
2005508224.tif 000012
2005508224.tif 000013
2005508224.tif 000014
2005508224.tif 000015
2005508224.tif 000016
2005508224.tif 000017
2005508224.tif 000018
2005508224.tif 000019
2005508224.tif 000020
2005508224.tif 000021
2005508224.tif 000022
2005508224.tif 000023
2005508224.tif 000024
2005508224.tif 000025
2005508224.tif 000026
2005508224.tif 000027
2005508224.tif 000028
2005508224.tif 000029
2005508224.tif 000030
2005508224.tif 000031
2005508224.tif 000032
2005508224.tif 000033
2005508224.tif 000034
2005508224.tif 000035
2005508224.tif 000036
2005508224.tif 000037
2005508224.tif 000038
2005508224.tif 000039
2005508224.tif 000040
2005508224.tif 000041
2005508224.tif 000042
2005508224.tif 000043
2005508224.tif 000044
2005508224.tif 000045
2005508224.tif 000046
2005508224.tif 000047
2005508224.tif 000048
2005508224.tif 000049
2005508224.tif 000050
2005508224.tif 000051
2005508224.tif 000052
【国際調査報告】
2005508224.tif 000053
2005508224.tif 000054
2005508224.tif 000055
2005508224.tif 000056
2005508224.tif 000057